(57)【要約】【課題】網と補強材からなる網部品と、取付け部品（バネクリップ）を主な構成要素とする従来の雨樋カバーには、横樋に対して位置ズレが生じやすく、また、網補強材のコストが高い、という二つの問題点があった。【解決手段】網の長辺側の縁部分に曲げ加工部を設けることにより、雨樋カバーの位置ズレが改善でき、かつ、網の補強材を省略することができる。また、その曲げ加工部に面取りを設けるか、網の継ぎ目にかからないように曲げることによって、網にクラックを生じにくくできる。また、前記曲げ加工部は網の長辺側の縁部分の片側のみに設けてもよい。【選択図】図１
2012107406.tif 000002
【特許請求の範囲】
【請求項１】
網と取付け部品（バネクリップ）からなる雨樋カバーにおいて、網の長辺側の縁部分に曲げ加工部を設け、その曲げ加工部によって施工時の位置決めをし、また、網の補強をすることを特徴とする雨樋カバー。
【請求項２】
前記請求項１の雨樋カバーの網において、前記曲げ加工部に面取りを設けるか、または、網の継ぎ目にかからない箇所で曲げることを特徴とする雨樋カバー。
【請求項３】
前記請求項１、請求項２の雨樋カバーの網において、前記曲げ加工部の垂直方向（施工時の鉛直方向）の長さ成分が、１ミリメートルから５０ミリメートルであることを特徴とする雨樋カバー。
【請求項４】
前記請求項１、請求項２、請求項３の雨樋カバーの網において、前記曲げ加工部が、網の長辺側の縁部分の片側のみに設けられていることを特徴とする雨樋カバー。
【発明の詳細な説明】
【技術分野】
【０００１】
本発明は、雨樋のゴミ詰まり故障を防止する雨樋カバーに関するものである。
【背景技術】
【０００２】
従来の雨樋カバーで低コスト化を実現している技術として、例えば下記文献に記載された手法がある。
【０００３】
これは、長方形の網部品と取付け部品（バネクリップ）から構成されているものである。部品点数が少なく、雨樋への取り付け工事も容易であることから、他の雨樋カバーに比べて製造コストと施工コストの大幅な低減を実現している。（図８、図９）
【先行技術文献】
【特許文献】
【０００４】
【特許文献１】特開２００２−００４５１９
【発明の概要】
【発明が解決しようとする課題】
【０００５】
前記従来の雨樋カバーには以下のような課題（不具合）がある。
【０００６】
（課題１）横雨樋に対して位置ズレが生じる。（図１０）
特開２００２−００４５１９の雨樋カバーは、横雨樋の上に網部品を並べて、その網部品をバネクリップで横雨樋の縁部に固定するものである。しかし、網部品は長方形の平面であるため、横雨樋の上に並べる際に横雨樋に対して位置基準がなく、取付けた後に位置ズレが生じやすい。前記従来の雨樋カバーが、横雨樋に対して位置ズレが生じた状態で取り付けられた事例を図１０に示す。
【０００７】
（課題２）補強材のコストが高い。
特開２００２−００４５１９の雨樋カバーには、網の長辺側の縁部分にベルト状の補強材（以降「網補強材」と記す）が設けられている。
この網補強材で網の強度を増すことにより、網部品の取扱いを容易にするとともに、経年変化による網の変形を防止している。したがって網補強材を省略することはできなかった。
前記網補強材を網に取り付ける工程を図８に示す。まず、帯状の鋼板を二つ折りにして、その折り曲げ部の隙間に網の長辺側の縁部分を挿入し、プレスまたは溶接して網に固定する。なすわち、この網補強材だけで、鋼板の材料コストと、折り曲げ時の加工コストと、網に固定する時の組立てコストがかかるのである。
【課題を解決するための手段】
【０００８】
本願発明の請求項１は、網と取付け部品（バネクリップ）からなる雨樋カバーにおいて、網の長辺側の縁部分に曲げ加工部を設けることを特徴とする。そして、網部品を横雨樋に取付ける際、この折り曲げた部分を横雨樋の縁部に当てて網部品の位置決めを行う。（以降、網の長辺側の縁部分を下に折り曲げた部分を「位置決めストッパ」と記す）つまり、網部品に位置決めストッパを設けることにより、網部品の位置決めが容易になり、課題１を解決することができる。（図７）
また、網部品に前記の位置決めストッパを形成することは、網部品に折り目構造を付加することになる。その結果網部品の強度が増して取扱いが容易になるとともに、経年変化による変形を防止することができる。すなわち、前記の網補強材を省略することができるため、課題２を解決することができる。
【０００９】
本願発明の請求項２は、前記請求項１の雨樋カバーの網において、前記曲げ加工部に面取りを設けるか、または、網の継ぎ目にかからない箇所で曲げることを特徴とする。
通常、雨樋カバーの網は、コストと重量の関係から、厚さ１ミリメートル前後のエキスパンドメタルという金属製の網が使用される。しかし、この程度の厚さのエキスパンドメタルは、網の継ぎ目部分が脆く、曲げ加工に弱いという欠点がある。すなわち、エキスパンドメタルを網の継ぎ目部分で安易に９０度前後の曲げ加工を行うと、網の継ぎ目にクラックを生じ、その結果、製品の耐久性が著しく低下し、場合によっては製造工程で網目が壊れてしまうこともある。したがって、雨樋カバーの網部品（エキスパンドメタル）に曲げ加工を行うためには、網の継ぎ目にかからないように曲げる必要がある。しかし、寸法の制約などから曲げ加工の位置を選べないことが多く、網の継ぎ目付近を曲げなければならない場合がしばしばある。この問題を解決する手段が前記請求項２の、曲げ加工部に面取りを設け一回の曲げ角度を緩やかにする方法である。
【００１０】
本願発明の請求項３は、前記曲げ加工部（位置決めストッパ）の垂直方向（施工時の鉛直方向）の長さ成分が、１ミリメートルから５０ミリメートルであることを特徴とする。この長さは、位置決めストッパが網部品の位置決めをするという機能を果たすための条件として、試作と実験から求めた長さである。
【００１１】
本願発明の請求項４は、前記雨樋カバーの網において、前記曲げ加工部が、網の長辺側の縁部分の片側のみに設けられていることを特徴とする。このように、位置決めストッパを網の一辺のみに設けるだけで、網部品を補強する効果が十分に得られることも、試作と実験によってわかっている。
【発明の効果】
【００１２】
本発明によれば、雨樋カバーを施工する際に生じる位置ズレを改善することができる。また、網に曲げ加工を施すことによって網の強度が増加するため、網補強材が省略でき、その結果製造コストを低減することができる。
【図面の簡単な説明】
【００１３】
【図１】図１は、本発明に係る雨樋カバーの一実施例を示す図である。（実施例１）（ａ）は、斜視図。（ｂ）は上と横と前の３方向から見た図である。
【図２】図２は、本発明に係る雨樋カバーのその他の実施例を示す図である。（実施例２）（ａ）は、斜視図。（ｂ）は上と横と前の３方向から見た図である。
【図３】図３は、本発明に係る雨樋カバーのその他の実施例を示す図である。（実施例３）
【図４】図４は、本発明に係る雨樋カバーのその他の実施例を示す図である。（実施例４）
【図５】図５は、本発明に係る雨樋カバーのその他の実施例を示す図である。（実施例５）
【図６】図６は、本発明に係る雨樋カバーの施工方法を説明する図である。
【図７】図７は、本発明に係る雨樋カバーの施工方法を説明する図である。
【図８】図８は、従来の雨樋カバーの網部品の製造工程を説明する図である。
【図９】図９は、従来の雨樋カバーの施工方法を説明する図である。
【図１０】図１０は、従来の雨樋カバ−を施工した時に、横樋に対して位置ズレが生じた様子を示す図である。
【発明を実施するための形態】
【００１４】
網の長辺側の縁部分を下向きに折り曲げて位置決めストッパを形成することにより、施工が容易になり、網補強材の省略とコストダウンを実現できる。
【実施例１】
【００１５】
図１は本発明の代表的な一実施例である。網の長辺側の縁部分の両側に曲げ加工をして位置決めストッパを設けている。また、折り曲げ部には面取りを行い、網目にクラックが生じないようにしている。図１ではＣ面取りを実施しているが、Ｒ面取りでも良い。
【実施例２】
【００１６】
図２は本発明の他の実施例である。網の長辺側の縁部分に位置決めストッパを設けているのは前記実施例１と同じであるが、図２の実施例は片側だけに位置決めストッパを設けている。このように位置決めストッパを片側だけに設けた場合でも、網部品の強度を増す効果は十分に得られることが、実験によって確かめられている。また、片側だけの方が網の加工コストを削減することができる。
図６は、前記図２の網部品をバネクリップで雨樋に固定する様子を示す図である。雨樋の上に網部品を載せ、位置決めストッパ部と横雨樋の縁部をバネクリップで固定する。
図７は、前記図２の網部品を実際の雨樋にセットする様子を、雨樋の断面方向から見た図である。雨樋の辺縁部に位置決めストッパが当たるまで網部品を挿入することによって、雨樋カバーの位置を揃えることができる。
【実施例３】
【００１７】
図３は本発明の他の実施例である。これは、前記実施例１の位置決めストッパの先端に、さらにもう一度小さく曲げ加工を施したものである。こうすることにより、位置決めストッパの先端にエキスパンドメタルを（網目ではない箇所で）切断した時に生じる針状の危険部位を隠すことができる。
【実施例４】
【００１８】
図４は本発明の他の実施例である。網の長辺側の縁部分を曲面状に曲げて位置決めストッパを形成している。すなわち、折り曲げ部は直線状の単純な折り曲げに限定する必要はなく、樋の形状やデザイン性を考慮して、曲面や多角形状に折り曲げてもよい。また、網の長辺側の縁部分に筒状の構造を形成してもよい。
【実施例５】
【００１９】
図５は本発明の他の実施例である。これは、位置決めストッパを作るための曲げ加工の角度を９０度未満にしたものである。曲げの角度を浅くすれば、網目でクラックを生じにくくすることができる。実験によって、曲げ加工の角度が５度以上あれば、位置決めストッパの機能を果たすことが分かっている。
【産業上の利用可能性】
【００２０】
本発明によれば、低コストで、取付けやすく、丈夫な雨樋カバーを提供することができる。
【符号の説明】
【００２１】
１      網部
２      網部の拡大図
３      網の継ぎ目
４      網の長辺側の縁部分
５      実施例１の曲げ加工部（位置決めストッパ）
６      曲げ加工部の垂直方向（施工時の鉛直方向）の長さ成分Ｌ
７      面取り部
８      面取り部の拡大図
９      実施例２の曲げ加工部（位置決めストッパ）
１０    バネクリップ
１１    実施例３の曲げ加工部（位置決めストッパ）
１２    実施例４の曲げ加工部（位置決めストッパ）
１３    実施例５の曲げ加工部（位置決めストッパ）
１４    本発明による実施例２の雨樋カバー
２１    横雨樋
２２    横雨樋の縁部
１０１  従来の雨樋カバーに用いられる網補強材の材料である鋼板
１０２  前記鋼板を９０度に折り曲げた状態
１０３  前記鋼板をさらに折り曲げて、網が差し込める程度の隙間を残した状態
１０４  長方形の網
１０５  網補強材
１０６  従来の雨樋カバーの網部品
【図１】
2012107406.tif 000003
【図２】
2012107406.tif 000004
【図３】
2012107406.tif 000005
【図４】
2012107406.tif 000006
【図５】
2012107406.tif 000007
【図６】
2012107406.tif 000008
【図７】
2012107406.tif 000009
【図８】
2012107406.tif 000010
【図９】
2012107406.tif 000011
【図１０】
2012107406.tif 000012